(57)【特許請求の範囲】
【請求項１】
線形駆動装置（１）であって、
前記線形駆動装置（１）は、
電気モータ（２）と、
前記電気モータの出力軸に固定的に接続されているピニオンギア（５）と、該ピニオンギア（５）と噛み合っているトランスミッションギア（６）と、を有している減速トランスミッション段と、
前記トランスミッションギア（６）の回転運動を可動部（７）の線形運動に変換するための、線形トランスミッション段と、
前記可動部（７）の位置を検出するためのセンサ（３）であって、前記可動部（７）に固く接続されているポインタ（４）と、該ポインタ（４）と相互作用する回路構造と、を有しているセンサ（３）と、
を含んでいる、線形駆動装置（１）において、
前記回路構造のコンポーネント（１３）は、前記回路構造の、前記ポインタ（４）側とは反対側の面上に配置されており、
前記線形駆動装置（１）は、電気を用いずに復元するための復元システムを含んでおり、前記復元システムは、復元動作を前記トランスミッションギア（６）に直接的または間接的に適用するばねを含んでいる、
ことを特徴とする、線形駆動装置（１）。
【請求項２】
前記回路構造は、プリント回路基板（１２）であることを特徴とする、請求項１記載の線形駆動装置（１）。
【請求項３】
前記ポインタ（４）は、ブラケット（１０）を介して前記可動部（７）に固く接続されていることを特徴とする、請求項１記載の線形駆動装置（１）。
【請求項４】
前記ポインタ（４）は、前記ブラケット（１０）上に固定されていることを特徴とする、請求項３記載の線形駆動装置（１）。
【請求項５】
前記ブラケット（１０）は、前記可動部（７）上に固定されていることを特徴とする、請求項３記載の線形駆動装置（１）。
【請求項６】
前記回路構造に対面している前記ポインタ（４）の端面は、円弧形状を有していることを特徴とする、請求項１記載の線形駆動装置（１）。
【請求項７】
前記センサ（３）は、誘導性センサであることを特徴とする、請求項１記載の線形駆動装置（１）。
【請求項８】
前記トランスミッションギア（６）は、扇形歯車であることを特徴とする、請求項１記載の線形駆動装置（１）。
【請求項９】
エンジンの排ガス再循環ループにおいて使用するための排ガス再循環制御弁において、
前記排ガス再循環制御弁は、請求項１から８までのいずれか１項記載の線形駆動装置（１）を含んでいることを特徴とする、排ガス再循環制御弁。
【請求項１０】
請求項９記載の排ガス再循環制御弁を含んでいる、エンジン。
【発明の詳細な説明】
【技術分野】
【０００１】
本発明は、センサ、線形駆動装置、排ガス再循環制御弁およびエンジンに関する。
【０００２】
背景技術
自動車産業のような産業においては、正確に制御することができる弁装置を、例えば排ガス再循環制御弁をエンジン排ガス再循環システムにおいて使用することが一般的に要求されている。そのような弁装置においては、正確に制御することができる線形駆動装置が要求され、またその弁装置は可能な限り軽量で、小型なものであることが所望されている。
【０００３】
そのような線形駆動装置および弁装置は、例えば中国実用新案第２０３４４２２８１号明細書（CN203442281U）に開示されている。出力接続ロッドの現在位置が、センサによって検出され、排ガス再循環制御弁を制御するために、制御装置に伝送される。
【０００４】
しかしながら、接続ロッドアセンブリ全体が回転する場合、センサポインタも回転する可能性がある。つまりこのことは、線形位置に関する信号が、ポインタの回転によって影響を受ける可能性がある。したがって、接続ロッドアセンブリの回転によって惹起される不正確なセンサ信号の問題が存在する。
【０００５】
発明の概要
本発明によって解決されるべき技術課題は、接続ロッドアセンブリの回転によって惹起される不正確なセンサ信号の問題を解決する、センサ、線形駆動装置および相応の排ガス再循環制御弁を提供することである。
【０００６】
本発明によればセンサが提案され、当該のセンサは、可動部の位置を検出するために使用されるものであり、前述の可動部に固く接続されているポインタと、ポインタと相互作用する回路構造と、を含んでおり、前述の回路構造のコンポーネントは、回路構造の、ポインタ側とは反対側の面上に配置されている。
【０００７】
１つの好適な実施の形態によれば、前述の回路構造は、プリント回路基板である。さらに好適には、前述のポインタは、ブラケットを介して前述の可動部に固く接続されている。さらに好適には、前述のポインタは、インサート成形によって前述のブラケット上に固定されている。さらに好適には、前述のブラケットは、インサート成形によって前述の可動部上に固定されている。さらに好適には、回路構造に対面している前述のポインタの端面は、円弧形状を有している。さらに好適には、前述のセンサは、誘導性センサである。
【０００８】
本発明によれば線形駆動装置が提案され、当該の線形駆動装置は、電気モータと、電気モータの出力軸に固く接続されているピニオンギアおよびピニオンに噛み合っているトランスミッションギアを有している減速トランスミッション段と、前述のトランスミッションギアの回転運動を可動部の線形運動に変換するための線形トランスミッション段と、前述の可動部に固く接続されているポインタおよびポインタと相互作用する回路構造を有している、可動部の位置を検出するためのセンサと、を含んでおり、前述の回路構造のコンポーネントは、回路構造の、ポインタ側とは反対側の面上に配置されている。
【０００９】
１つの好適な実施の形態によれば、前述の回路構造は、プリント回路基板である。さらに好適には、前述のポインタは、ブラケットを介して前述の可動部に固く接続されている。さらに好適には、前述のポインタは、インサート成形によってブラケット上に固定されている。さらに好適には、前述のブラケットは、インサート成形によって可動部上に固定されている。さらに好適には、回路構造に対面している前述のポインタの端面は、円弧形状を有している。さらに好適には、前述のセンサは、誘導性センサである。さらに好適には、前述のトランスミッションギアは、扇形歯車である。さらに好適には、前述の線形駆動装置は、電気を用いずに復元するための復元システムを含んでおり、前述の復元システムは、復元動作をトランスミッションギアに直接的または間接的に適用するばねを含んでいる。
【００１０】
さらに本発明は、上述の線形駆動装置を含んでいる排ガス再循環制御弁と、排ガス再循環制御弁を含んでいるエンジンと、に関する。
【図面の簡単な説明】
【００１１】
【図１】本発明によるセンサの基本構造の側面図を示す。
【図２】本発明によるセンサの基本構造の上面図を示す。
【図３】ポインタが変位していない状態の、従来技術におけるセンサのプリント回路基板およびポインタを示す。
【図４】ポインタが変位している状態の、従来技術におけるセンサのプリント回路基板およびポインタを示す。
【図５】ポインタが変位していない状態の、本発明によるセンサのプリント回路基板およびポインタを示す。
【図６】ポインタが変位している状態の、本発明によるセンサのプリント回路基板およびポインタを示す。
【図７】本発明による線形駆動装置を示す。
【００１２】
特定の実施の形態
本発明の実施の形態による、センサ、線形駆動装置、排ガス再循環制御弁およびエンジンを、以下では、添付の図面を参照しながら説明する。以下の記述では、当業者が本発明をより包括的に理解できるようにするために、多数の特定の詳細を説明する。しかしながら、当業者には、本発明を、それらの特別な詳細のうちの幾つかを含めずに達成できることは明らかである。さらに、本発明は、開示する特定の実施の形態に制限されるものではないと解されるべきである。その代わりに、ここでは、以下の特徴および構成要素が異なる実施の形態に含まれているか否かにかかわらず、本発明を実現するために、それらの特徴および構成要素の任意の組み合わせを使用できることが想定される。したがって、以下の態様、特徴、実施の形態および利点は単なる実例に過ぎず、特許請求の範囲において明示的に記載されていない限り、請求項の構成要素または定義とみなされるべきではない。
【００１３】
図１および図２は、本発明による、可動部７の位置を検出するためのセンサ３の基本構造を示す。センサ３は、誘導性センサであり、ポインタ４および回路構造、例えばプリント回路基板１２を含んでいる。ポインタ４は、例えばプラスチック製のブラケット１０を介して、可動部７上に取り付けられている。動作中、プリント回路基板１２には電圧が印加され、またプリント回路基板１２のフィードバック電圧は、ポインタ４の位置による影響を受け、その結果、ポインタ４の位置を表す電圧信号が出力される。
【００１４】
従来技術においては、プリント回路基板１２の種々のコンポーネント１３が、通常の場合、プリント回路基板１２の、ポインタ４に対面している面上に配置されている（図３および図４を参照されたい）。この解決手段の欠点は、一方ではコンポーネント１３によってポインタ４の運動が妨げられ、他方では擦りによって損傷が生じることである。
【００１５】
したがって、本発明は、プリント回路基板１２の種々のコンポーネント１３を、プリント回路基板１２の、ポインタ４側とは反対側の面上に配置し（図５および図６を参照されたい）、それによって、移動の障害および擦りによるコンポーネントの損傷のいずれも回避することを提案する。
【００１６】
他方、従来技術では通常の場合、平坦な端面を備えているポインタが使用されているが（図３および図４を参照されたい）、しかしながらそのようなポインタは、以下の欠点を有している：
１．センサ３の出力は、ｙ方向において移動しているポインタ４の位置であるが（図１を参照されたい）、しかしながら、このセンサ３の出力は、センサ３のプリント回路基板１２およびポインタ４のｘ方向およびｚ方向における相対位置における変化によって影響を受ける可能性があり、その結果、センサ３の出力は、ポインタ４のｙ方向における実際位置に関して誤差を有する可能性があり、また、平坦なポインタ４の既存の解決手段においては、実行プログラム後に、調整ロッドの回転を回避することができないので、接続ロッドおよびその接続ロッド上に固定されているポインタ４が偏向され、その結果、検出範囲内では、センサ３のプリント回路基板１２とポインタ４との間のｘ方向およびｚ方向における相対位置が変化し、したがって、最終的に、出力と実際の結果との間に誤差が生じる可能性がある。
２．比較的大きい振幅で回転する可動部は、ポインタ４と接触する可能性があり、また、センサ３のプリント回路基板１２を擦って、センサ３の部品を破壊する可能性があり、したがって、センサ３が損傷する。
３．既存のポインタ４は、プラスチック部材を介して、締まりプレスばめ、スナップフィットまたは螺合等によって可動部に固定されているが、しかしながら、プラスチック部材は、温度の影響および過酷な環境要因、例えば振動に起因して劣化する可能性があるので、信号に関する問題が生じる。
４．既存のポインタ４は、一般的に、接着法または印刷法によってプラスチックに固定されているが、しかしながら、このプロセスは複雑であり、またコストが掛かる。
【００１７】
したがって、本発明は、プリント回路基板１２に対面しているポインタ４の端面を円弧形状とすることを提案する（図５および図６を参照されたい）。端面が円弧形状であることから、接続ロッドの回転による、線形位置に関する信号への影響が低減され、それによって、センサ３の出力と、ポインタ４の実際位置との間の誤差が顕著に低減され、また検出精度が向上される。さらには、円弧形状のポインタ４によって、調整ロッドは、センサ３と接触して、センサ３を擦ることなく、比較的大きい振幅で回転することができる。
【００１８】
さらに、ポインタ４は、インサート成形法を使用して固定されており、例えば、ポインタ４およびブラケット１０のいずれも、インサート成形によって固定することができる。したがって、より簡潔なプロセス、より高い信頼性およびより低いコストが達成される。
【００１９】
エンジン排ガス再循環に使用するための排ガス再循環制御弁の線形駆動装置を例にして、本発明による線形駆動装置を以下において説明するが、本発明はこれに制限されるものではない。本発明による線形駆動装置を、小さい精度の線形制御を要求する任意の機器、例えば種々の弁およびアクチュエータと共に使用することができる。
【００２０】
図７には、線形駆動装置が示されている。線形駆動装置１は、電気モータ２、第１のトランスミッション段（減速トランスミッション段）および第２のトランスミッション段（線形トランスミッション段）を含んでいる。線形駆動装置は、電気モータ２の駆動によって、可動部７の線形運動を達成する。ここでは、可動部が出力接続ロッドを表していると考えられる。
【００２１】
埃またはその他の異物の侵入、またその結果生じるトランスミッション装置への損傷を回避するために、ハウジング１１および対応するシーリングシステムが設けられている。第１のトランスミッション段、すなわち減速トランスミッション段は、電気モータの出力軸に固定的に接続されているピニオンギア５と、このピニオンギア５と噛み合っているトランスミッションギア６と、を含んでいる。モータ２が動作すると、ピニオンギア５が駆動されて回転し、その結果、ピニオンギア５と噛み合っているトランスミッションギア６が回転する。
【００２２】
第２のトランスミッション段は、トランスミッションギア６の回転運動を可動部７の線形運動に変換するための、線形トランスミッション段である。第２のトランスミッション段は、トランスミッションギア６に形成されている螺線状の溝８と、溝８に収容されている従動部９と、この従動部９に固定的に接続されている可動部７と、を含んでいる。
【００２３】
可動部７は、スリーブ部材（図示せず）内に配置されており、したがって、上下方向の線形運動のみが実現される。トランスミッションギア６が回転すると、従動部９が溝８に沿って変位し、また溝８の螺線状の形状に起因して、従動部９が上方または下方に運動し、それによって可動部７が駆動されて上方および下方に運動する。
【００２４】
電気モータ２が誤動作した場合、または送電が断たれた場合であっても、可動部７が初期位置まで帰還できるようにするために、線形トランスミッション装置は、好適には、電気を用いずに復元するための復元システム（図示せず）をさらに含んでいる。十分公知であるように、電気モータに電圧が印加された際に、相互に逆向きの２つの方向における電気モータの駆動は、駆動および復元を達成することができる。しかしながら、（例えば故障またはその他の原因に起因して）電気モータへの送電が断たれた場合には、トランスミッション装置を初期位置に復元できることが望ましく、したがってそのような復元システムが必要になる。前述の復元システムは、復元動作をトランスミッションギア６に直接的または間接的に適用するばねを含んでいる。
【００２５】
線形駆動装置１は、本発明によるセンサ３をさらに含んでおり、このセンサ３は、排ガス再循環制御弁を制御するために、可動部の位置、つまり前述の可動部７の位置を検出して、その位置を制御装置に伝送するために使用される。
【００２６】
本発明を、上記においては、比較的好適な実施の形態を用いて説明したが、本発明はそれらの実施の形態に限定されるものではない。本発明の精神および範囲から逸脱することのない、当業者による種々の変更および修正が、本発明の保護範囲に含まれるべきであり、したがって、本発明の保護範囲は請求項によって定義されるべきである。
【符号の説明】
【００２７】
１  線形駆動装置
２  電気モータ
３  センサ
４  ポインタ
５  ピニオンギア
６  トランスミッションギア
７  可動部
８  溝
９  従動部
１０  ブラケット
１１  ハウジング
１２  プリント回路基板
１３  コンポーネント
【図１】
0006479187.tif 000002
【図２】
0006479187.tif 000003
【図３】
0006479187.tif 000004
【図４】
0006479187.tif 000005
【図５】
0006479187.tif 000006
【図６】
0006479187.tif 000007
【図７】
0006479187.tif 000008